(57)【特許請求の範囲】
【請求項１】
光源により照射された光の原稿からの反射光を受光し、電気信号に変換する光電変換手段を備えた画像読み取り装置において、
光源の点灯制御を行う給電ハーネスは最大２本の点灯を可能とし、
光源の保持ブラケットは左右一対で構成されるとともに最大２本の光源を保持可能とし、
前記保持ブラケットの一方は装着された光源にコンプレッションを与える押圧部材を備え、
上記光源と対向した位置に、光源と同一形状の左右端部を有する反射面を備えた反射鏡が、保持ブラケットにより取り付け可能となっており、
前記光源を具備した走光体の上方に開閉可能な開閉窓を備えたことを特徴とする光源保持機構を有する画像読み取り装置。
【請求項２】
請求項１記載の画像読み取り装置において、開閉窓は支点となる軸を中心に回転可能であり、支点の近傍には光源への電源供給を遮断可能なインターロックスイッチを備えており、前記開閉窓の支点近傍には前記インターロックスイッチのＯＮ／ＯＦＦを回転運動により行うレバーを備えていることを特徴とする画像読み取り装置。
【発明の詳細な説明】
【０００１】
【発明の属する技術分野】
本発明は、ＣＣＤ等からなる光電変換手段を用いた画像読み取り装置に関するものである。応用分野としてイメージスキャナ、ファクシミリ等の画像読み取り装置がある。
【０００２】
【従来の技術】
本発明に関連のある従来技術として、特開平４−１７１４３６号公報に記載されているように、原稿画像を光学ラインセンサにより光学的に読み取ることのできる画像読み取り装置において、光源の周囲を反射部材により覆い、この反射部材にスリットを設けた原稿照明装置が知られている。
【０００３】
【発明が解決しようとする課題】
画像読み取り装置は、光源から原稿に光を照射し、その反射光あるいは透過光をＣＣＤ等の光電変換素子の受光面に結像させてアナログ信号に変換し、さらにＡ／Ｄコンバータにてデジタル信号に変換して画像情報を読み込むものである。光電変換素子により光から変換されたアナログ信号は、基板上の回路パターン等から紛れ込む様々なノイズ成分を含んだ後にデジタル信号に変換されて画像化されるため、Ｓ／Ｎの低下、すなわち画像劣化の原因となる。
【０００４】
一般的には、ＤＴＰ（デスクトップパブリッシング）等の多値出力で高画質な画像を求められる場合、アナログ信号をデジタル信号に変換する際のダイナミックレンジを大きくする、すなわち光電変換素子上に得られる光の出力をできる限り大きくすることにより、多値出力で高画質な画像を得ることができる。
【０００５】
一方、ファイリング  用途など、２出力にて必要な情報を認識できればよい場合には、光電変換素子上に得られる光の出力は、前記ＤＴＰ等の用途と比べてそれほど大きくしなくても充分な画像を得ることができる。
【０００６】
しかしながら、ＤＴＰとファイリング等、両方の使用方法が必要な場合、光源による露光量は最大に必要な場合に合わせ設定されるため、用途によっては無駄に露光している場合が大きく、消費する電力も大きい。また、ＯＣＲの用途等、指定された色をドロップアウトする場合には、光源の発光色が決められてしまい、専用の読み取り装置を用意する必要がある。
【０００７】
そこで、本発明は、用途に応じ読み取りに必要な露光量、発光色を、ユーザーが容易に光源、反射鏡を組み合わせて調整可能とすることで、適切な画像情報を得ることができる画像読み取り装置を提供することを目的とする。
【０００８】
【課題を解決するための手段】
前記目的を達成するために、請求項１記載の発明は、光源の点灯制御を行う給電ハーネスは最大２本の点灯を可能とし、光源の保持ブラケットは左右一対で構成されるとともに最大２本の光源を保持可能とし、前記保持ブラケットの一方は装着された光源にコンプレッションを与える押圧部材を備え、上記光源と対向した位置に、光源と同一形状の左右端部を有する反射面を備えた反射鏡が、保持ブラケットにより取り付け可能となっており、前記光源を具備した走光体の上方に開閉可能な開閉窓を備えたことを特徴とする。
【０００９】
請求項２記載の発明は、開閉窓は支点となる軸を中心に回転可能であり、支点の近傍には光源への電源供給を遮断可能なインターロックスイッチを備えており、前記開閉窓の支点近傍には前記インターロックスイッチのＯＮ／ＯＦＦを回転運動により行うレバーを備えていることを特徴とする。
【００１１】
【発明の実施の形態】
以下、図面を参照しながら本発明にかかる画像読み取り装置の実施の形態について説明する。図１は本発明での光源の組み合わせ可能な構成を示す。８ａ，８ｂは光源を示し、３は原稿ガラスを示す。
【００１２】
図１（ａ）では、光源８ａにより照射された光は、原稿３上の原稿に当たり、反射光となって図１（ａ）の下方向に向かい、その後図３に示す第１ミラー９、第２ミラー１０、第３ミラー１１、レンズ５を介して光電変換素子であるＣＣＤ６面上に結像される。
【００１３】
図１（ｂ）では、原稿ガラス３上の原稿が光源８ａから直接照射されるとともに、光源８ａに対向した反射鏡７により反射されて原稿ガラス３上の原稿に当たって照明光が増強され、原稿に照射された光は反射光となって図１（ｂ）の下方向に向かい、その後図３に示す第１ミラー９、第２ミラー１０、第３ミラー１１、レンズ５を介してＣＣＤ６面上に結像される。この場合の露光量は、前記図１の（ａ）の露光量と比較して３０〜４０％の露光量増となる。
【００１４】
図１（ｃ）では、光源８ｂが光源８ａと対向した位置に具備されており、２本の光源８ａ，８ｂにより原稿面を照射し、原稿ガラス３上の原稿に当たり反射光となった光は図１（ｃ）の下方向に向かい、その後図３に示す第１ミラー９、第２ミラー１０、第３ミラー１１、レンズ５を介してＣＣＤ６面上に結像される。この場合の露光量は、前記図１の（ａ）の露光量と比較して９０〜１００％の露光量増となる。
【００１５】
図２（ａ）は、本発明の画像読み取り装置全体の外観を示す斜視図である。自動給紙装置２は、装置本体１の後方に設けた支持軸（図示せず）を中心として、図２（ｂ）のように回転自在に取り付けられている。原稿載置面２０に原稿を載置して、自動給紙装置２により自動で原稿を原稿ガラス３上に搬送しての読み取りと、自動給紙装置２を用いないで直接原稿を原稿ガラス３上に載置しての読み取りの２種類の読み取りを可能としたものである。
【００１６】
図３は装置本体１の内部構成を示すものである。装置本体１内には、図示していないが原稿の搬送方向（図３の左右方向）に向けたガイドレールが原稿ガラス３と平行に設けてあり、そのガイドレールで２つのキャリッジ（図示せず）が移動自在に支持されている。
【００１７】
第１キャリッジには原稿ガラス３上の原稿読み取り位置に向けた光源８と第１ミラー９が搭載され、第２キャリッジには第２ミラー１０と第３ミラー１１とが搭載されている。
【００１８】
また、第３ミラー１１の反射面による反射光の光路上には、反射光を収束して結像させるレンズ５と、その結像を読み取る光電変換素子６が取り付けられている。
【００１９】
自動給紙装置２は、原稿載置面２０の上方に添わせて設けられた給紙コロ２１を有し、原稿載置面２０の上面から装置本体１の原稿ガラス４上の原稿読み取り位置を経て原稿押さえ板２９上に至る搬送路を有している。この搬送路には上下一対をなす分離コロ２３と送りコロ２２が設けられ、その搬送方向前方に搬送ドラム２４が設けられている。さらに、原稿ガラス４上の原稿読み取り位置の搬送方向前方に搬送ローラ２５が設けられ、その搬送方向前方に排紙ローラ対２６、２７が設けられている。
【００２０】
装置本体１の原稿ガラス４上の原稿読み取り位置付近には、図３に示すように、原稿ガラス４の上面に押さえ板２８を設け、搬送ローラ２５の手前には、搬送路内の原稿の有無を検知するセンサ（図示せず）を設ける。
【００２１】
自動給紙装置２を用いる場合、原稿載置面２０上に原稿を載置し、コピースタートボタンを押すと、図４に示すようにホストコンピューター３０からインターフェース３１を介してＣＰＵ３２に指令を送る。ＣＰＵ３２は、ＲＯＭ３３のデータに基づいてモータ駆動回路３４に信号を送り、モータ３５を駆動するとともに、光源点灯装置３６に信号を送り光源８を点灯する。モータ３５により駆動される給紙コロ２１、分離コロ２３、送りコロ２２は、原稿を１枚づつ搬送路に送り込み、原稿ガラス４上の原稿読み取り位置を通り、搬送ローラ２５、排紙ローラ２６、２７で読み取り後の原稿を原稿押さえ板２９上に排出する。この間に、画像処理部３８を介して画像読み取り部３７で搬送される原稿上の画像を原稿読み取り位置で読み取る。
【００２２】
すなわち、原稿ガラス４上の原稿読み取り位置において、光源８からの光を原稿ガラス４上を搬送する原稿に照射し、その反射光を第１ミラー９、第２ミラー１０、第３ミラー１１で順次照射してレンズ５で光電変換素子６に結像して原稿の画像を読み取る。読み取り後の原稿は、画像処理部３８から信号をＣＰＵ３２に送り、ＣＰＵ３２からの指令により搬送ローラ２５、排紙ローラ２６、２７を駆動して原稿押さえ板２９上に排出する。
【００２３】
また、自動給紙装置２を用いない場合は、自動給紙装置２を支軸３０を中心として上方へ回転移動して、原稿を原稿ガラス３上に載置してその先端が搬送ローラ２５の下側に入り込むようにセットし、キャリッジを移動させながら画像読み取り部３７（図４参照）で原稿の画像を読み取る。
【００２４】
すなわち、光源８と第１ミラー９を搭載したキャリッジと、第２ミラー１０と第３ミラー１１を搭載したキャリッジとを、原稿面と平行方向に移動して画像の読み取りを行う。
【００２５】
図５は、第１キャリッジ上の光源８の両端部を保持する一対の保持ブラケット５５、５６の実施の形態を示したものである。保持ブラケット５５、５６は左右一対で構成されており、一方の保持ブラケット５５内には、装着された光源８をその長さ方向に押さえてコンプレッションを与える押圧部材４２を備えている。この押圧部材４２は、それ自体の弾性力により光源８を保持ブラケット５６に押しつけて保持するものである。また、光源８の点灯制御を行う給電ハーネス４７は、最大２本の光源の点灯制御を可能としていて、各々の光源８に接続されており、点灯制御により一灯又は二灯の点灯を行う。
【００２６】
図６は、反射鏡７の実施の形態を示したものである。反射鏡７の左右端部の形状は光源８と同一形状であり、保持ブラケット５５、５６に取り付け可能になっている。そのため、一本の光源のみを使用する場合は、この一本の光源と対向した位置に反射鏡７を装着することができる。反射鏡７の反射面４８により、光源８から照射された光を原稿に反射し、露光量を増加させることができる。
【００２７】
図７（ａ）は、第１キャリッジ上方の開閉窓４３を開放した状態を示す。このように開閉窓４３は取り外し可能となっている。図７（ｂ）は、開閉窓４３を開放した状態で、第１キャリッジ上の光源８をはずしている状況を示している。
【００２８】
図８は、開閉窓４３の実施の形態をより具体的に示したものである。図８（ａ）は開閉窓４３を閉じた状態であり、開閉窓４３の下部に取り付けられたレバー４４によりインターロックスイッチ４５はＯＮしている。図８（ｂ）は開閉窓４３を支点４６を中心として上方に可動させた状態であり、開閉窓４３の下部に取り付けられたレバー４４によりインターロックスイッチ４５はＯＦＦしている。インターロックスイッチ４５がＯＦＦしている間は光源への電源供給を遮断することにより、安全を確保している。
【００２９】
【発明の効果】
請求項１記載の発明によれば、光源の保持ブラケットは最大２本の光源を保持可能であり、光源の保持ブラケットは左右一対で構成されており、保持ブラケットの一方は装着された光源にコンプレッションを与える押圧部材を備え、上記光源と対向した位置に、光源と同一形状の左右端部を有する反射面を備えた反射鏡が、保持ブラケットにより取り付け可能となっており、前記光源を具備した走光体の上方に開閉可能な開閉窓を備えているため、用途に応じて露光量、あるいは発光量を調整することにより、高画質が要求される場合には２本の光源を照射させ、省エネルギーにて動作させるときは１本の光源を照射させることができ、画質の選択を容易にユーザーが行うことができる。加えて、１本の光源のままでも、反射鏡を対向した位置に配置することにより、エネルギー量を上げることなく容易に露光量を増大することができる。
【００３０】
請求項２記載の発明によれば、開閉窓は支点となる軸を中心に回転可能であり、支点の近傍には光源への電源供給を遮断可能なインターロックスイッチを備えており、前記開閉窓の支点近傍には前記インターロックスイッチのＯＮ／ＯＦＦを回転運動により行うレバーを備えたことにより、ユーザーが開閉窓の開閉作業を行った際には、光源への給電がＯＦＦされるので、安全に光源の交換を行うことができる。
【図面の簡単な説明】
【図１】本発明にかかる画像読み取り装置での光源の組み合わせ可能な構成を示す図である。
【図２】本発明にかかる画像読み取り装置の外観の例を示す斜視図である。
【図３】本発明にかかる画像読み取り装置の内部構成の例を示す図である。
【図４】本発明にかかる画像読み取り装置における信号処理系統の例を示すブロック図である。
【図５】本発明に適用可能な光源装着用押圧部材とブラケットの例を示す分解斜視図である。
【図６】本発明に適用可能な反射鏡の例を示す斜視図である。
【図７】本発明に適用可能な光源部の開閉窓の例を示すもので、開閉窓を開放した状態を示す斜視図である。
【図８】本発明に適用可能な光源部の開閉窓とインターロックスイッチとの位置関係の例を示す側面図である。
【符号の説明】
５５  ブラケット
５６  ブラケット
７    反射鏡
８ａ  光源
８ｂ  光源
３０  支軸
４２  押圧部材
４３  開閉窓
４４  レバー
４５  インターロックスイッチ
４６  支点
４７  給電ハーネス
４８  反射面
【図１】
0003609198.tif 000002
【図２】
0003609198.tif 000003
【図３】
0003609198.tif 000004
【図４】
0003609198.tif 000005
【図５】
0003609198.tif 000006
【図６】
0003609198.tif 000007
【図７】
0003609198.tif 000008
【図８】
0003609198.tif 000009